(57)【特許請求の範囲】
【請求項１】
携帯機器に対し電力を供給する充電器と、
前記充電器による充電を許可するチケットを含む２次元コードを前記携帯機器に付与するサーバと
を備え、
前記充電器は、
電力を供給する電力供給部と、
提示された２次元コードを読み取る読み取り部と、
前記チケットに関するチケットデータを保持するチケットデータ保持部と、
読み取られた前記２次元コードに含まれる前記チケットを前記チケットデータと照合して前記電力供給部の動作を制御する制御部と
を備え、
前記２次元コードは、電源を供給されて駆動する表示部により表示される第１の２次元コードと、電源の供給に拘らず表示可能な第２の２次元コードとを含み、
前記第１の２次元コードは、所定の時間間隔で連続的に複数の異なる２次元コードを提示する動画２次元コードであり、
前記第２の２次元コードは静止画２次元コードであり、
前記読み取り部は、前記所定の時間間隔での切り替わりの有無に基づいて前記第１の２次元コードと前記第２の２次元コードとを判別する
ことを特徴とする充電システム。
【請求項２】
前記２次元コードには、有効期限を示す有効期限データが含まれ、
前記制御部は、前記有効期限データに基づき前記電力供給部の動作を制御する
ことを特徴とする請求項１記載の充電システム。
【請求項３】
前記充電器は、前記携帯機器のバッテリが完全に放電されている場合において、前記第２の２次元コードを前記読み取り部で読み取って第１の充電を許可すると共に、その後提示された前記第１の２次元コードを前記読み取り部で読み取って、第１の充電以上の更なる充電を許可する
ことを特徴とする請求項１記載の充電システム。
【請求項４】
前記充電器は、前記第１の時間の充電は、所定の期間内において所定の回数だけ許可することを特徴とする請求項３記載の充電システム。
【請求項５】
前記充電器は、前記携帯機器を充電するための外付け充電電池に対し電力を供給可能に構成され、
前記外付け充電電池には、前記携帯機器に付与される２次元コードと対応する前記第２の２次元コードが付与されており、前記制御部はこの第２の２次元コードを読み取って前記電力供給部の動作を制御する
ことを特徴とする請求項１記載の充電システム。
【請求項６】
携帯機器に対し電力を供給する充電器において、
電力を供給する電力供給部と、
前記携帯機器が取得した２次元コードを読み取る読み取り部と、
前記２次元コードに含まれる、充電を許可するためのチケットに関するチケットデータを保持するチケットデータ保持部と、
読み取られた前記２次元コードに含まれる前記チケットを前記チケットデータと照合して前記電力供給部の動作を制御する制御部と
を備え、
前記２次元コードは、電源を供給されて駆動する表示部により表示される第１の２次元コードと、電源の供給に拘らず表示可能な第２の２次元コードとを含み、
前記第１の２次元コードは、所定の時間間隔で連続的に複数の異なる２次元コードを提示する動画２次元コードであり、
前記第２の２次元コードは静止画２次元コードであり、
前記読み取り部は、前記所定の時間間隔での切り替わりの有無に基づいて前記第１の２次元コードと前記第２の２次元コードとを判別する
ことを特徴とする充電器。
【請求項７】
前記２次元コードには、有効期限を示す有効期限データが含まれ、
前記制御部は、前記有効期限データに基づき前記電力供給部の動作を制御する
ことを特徴とする請求項６記載の充電器。
【請求項８】
前記携帯機器のバッテリが完全に放電されている場合において、前記第２の２次元コードを前記読み取り部で読み取って第１の充電を許可するよう前記制御部により前記電力供給部を制御すると共に、その後提示された前記第１の２次元コードを前記読み取り部で読み取って、前記第１の充電以上の更なる充電を許可するよう前記制御部により前記電力供給部を制御する
ことを特徴とする請求項６記載の充電器。
【請求項９】
前記制御部は、前記第１の時間の充電を、所定の期間内において所定の回数だけ許可するよう前記電力供給部を制御することを特徴とする請求項８記載の充電器。
【請求項１０】
前記携帯機器を充電するための外付け充電電池に対し電力を供給可能に構成され、
前記外付け充電電池には、前記携帯機器に付与された２次元コードと対応する前記第２の２次元コードが付与されており、前記制御部はこの第２の２次元コードを読み取って前記電力供給部の動作を制御する
ことを特徴とする請求項６記載の充電器。
【請求項１１】
前記携帯機器の表示部が近接される読み取り窓と、
前記読み取り窓に近接して設置され前記外付け用充電電池を挿入するスロットと
を更に備え、
前記読み取り部は、この読み取り窓に対向して配置され、前記携帯機器の表示部に表示された２次元コードと前記外付け充電電池に付与された２次元コードとを読み取り可能に構成された
ことを特徴とする請求項１０記載の充電器。
【請求項１２】
サーバより携帯機器に対し、充電器による充電を許可するチケットを含む２次元コードを付与するステップと、
前記チケットに関するチケットデータを前記充電器に予め保持させるステップと、
付与された前記２次元コードを前記充電器に読み取らせるステップと、
読み取られた前記２次元コードに含まれる前記チケットを前記チケットデータと照合するステップと、
この照合の結果に従って前記充電器からの電力の供給を許可するステップと
を備え、
前記２次元コードは、電源を供給されて駆動する表示部により表示される第１の２次元コードと、電源の供給に拘らず表示可能な第２の２次元コードとを含み、
前記第１の２次元コードは、所定の時間間隔で連続的に複数の異なる２次元コードを提示する動画２次元コードであり、
前記第２の２次元コードは静止画２次元コードであり、
前記２次元コードを前記充電器に読み取らせるステップは、前記所定の時間間隔での切り替わりの有無に基づいて前記第１の２次元コードと前記第２の２次元コードとを判別させて前記２次元コードを読み取らせる
ことを特徴とする充電サービス提供方法。
【発明の詳細な説明】
【技術分野】
【０００１】
本発明は、携帯機器への充電サービスを提供するための充電システム及び充電器、並びに充電サービス提供方法に関する。
【背景技術】
【０００２】
携帯電話端末のユーザは、その使用形態等にもよるが、通常、１〜２日ごとに携帯電話端末のバッテリ充電を行う必要がある。充電は自宅等において据置き型の充電器を用いて行うのが通常である。
【０００３】
しかし、外出先、出張先等において充電が出来ず、バッテリ残量が少なくなくなってしまうか、又は完全に放電してしまう場合もある。そのような場合には、例えばコンビニエンスストア等で乾電池式の充電器を購入したり、或いはコンビニエンスストア等に設置される有料充電器を使用したりすることで充電を行うことはできる。しかし、このような乾電池式の充電器は高価である。また、有料充電器は、例えば１０分１００円程度の料金で利用することができるが、自宅での充電コストと比べると割高感がある。充電のために現金を支払うということにためらいを感じるユーザは多いと思われる。
【０００４】
このような問題に鑑み、特許文献１において、商品（飲料、タバコ等）の販売時にその見返りとして所定時間充電サービスを受けることができる装置が提案されている。また、特許文献２において、コンビニエンスストアやカラオケ店などの店舗に設置され、店員からコインを貰ってそのコインを投入することにより無料で充電サービスを受けられるようにした充電サービス装置が提案されている。しかし、いずれの装置も、金銭の授受を条件とし或いは期待された充電サービスの提供を行うものであり、お金を払ってまで充電をしたくないというユーザの心情に対応したものとはいえない。このように充電の際の課金をすることなく充電サービスを受けることを可能にした装置は、現状では提案されていない。
【特許文献１】特開２００２−６３６４５号公報
【特許文献２】特開２００２−３１５２０６号公報
【発明の開示】
【発明が解決しようとする課題】
【０００５】
本発明は、充電サービスの提供の際における課金処理を行うことなく気軽に利用することができる充電システム、充電器及び充電サービス提供方法を提供することを目的とする。
【課題を解決するための手段】
【０００６】
本発明の一態様に係る充電システムは、携帯機器に対し電力を供給する充電器と、前記充電器による充電を許可するチケットを含む２次元コードを前記携帯機器に付与するサーバとを備え、前記充電器は、電力を供給する電力供給部と、提示された２次元コードを読み取る読み取り部と、前記チケットに関するチケットデータを保持するチケットデータ保持部と、読み取られた前記２次元コードに含まれる前記チケットを前記チケットデータと照合して前記電力供給部の動作を制御する制御部とを備え、前記２次元コードは、電源を供給されて駆動する表示部により表示される第１の２次元コードと、電源の供給に拘らず表示可能な第２の２次元コードとを含み、前記第１の２次元コードは、所定の時間間隔で連続的に複数の異なる２次元コードを提示する動画２次元コードであり、前記第２の２次元コードは静止画２次元コードであり、前記読み取り部は、前記所定の時間間隔での切り替わりの有無に基づいて前記第１の２次元コードと前記第２の２次元コードとを判別することを特徴とする。
【０００７】
本発明の一態様に係る充電器は、携帯機器に対し電力を供給する充電器において、電力を供給する電力供給部と、前記携帯機器が取得した２次元コードを読み取る読み取り部と、前記２次元コードに含まれる、充電を許可するためのチケットに関するチケットデータを保持するチケットデータ保持部と、読み取られた前記２次元コードに含まれる前記チケットを前記チケットデータと照合して前記電力供給部の動作を制御する制御部とを備え、前記２次元コードは、電源を供給されて駆動する表示部により表示される第１の２次元コードと、電源の供給に拘らず表示可能な第２の２次元コードとを含み、前記第１の２次元コードは、所定の時間間隔で連続的に複数の異なる２次元コードを提示する動画２次元コードであり、前記第２の２次元コードは静止画２次元コードであり、前記読み取り部は、前記所定の時間間隔での切り替わりの有無に基づいて前記第１の２次元コードと前記第２の２次元コードとを判別することを特徴とする。
【０００８】
本発明の一態様に係る充電サービス提供方法は、サーバより携帯機器に対し、充電器による充電を許可するチケットを含む２次元コードを付与するステップと、前記チケットに関するチケットデータを前記充電器に予め保持させるステップと、付与された前記２次元コードを前記充電器に読み取らせるステップと、読み取られた前記２次元コードに含まれる前記チケットを前記チケットデータと照合するステップと、この照合の結果に従って前記充電器からの電力の供給を許可するステップとを備え、前記２次元コードは、電源を供給されて駆動する表示部により表示される第１の２次元コードと、電源の供給に拘らず表示可能な第２の２次元コードとを含み、前記第１の２次元コードは、所定の時間間隔で連続的に複数の異なる２次元コードを提示する動画２次元コードであり、前記第２の２次元コードは静止画２次元コードであり、前記２次元コードを前記充電器に読み取らせるステップは、前記所定の時間間隔での切り替わりの有無に基づいて前記第１の２次元コードと前記第２の２次元コードとを判別させて前記２次元コードを読み取らせることを特徴とする。
【発明の効果】
【０００９】
この発明によれば、充電サービスの提供の際における課金処理を行うことなく気軽に利用することができる充電システム、充電器及び充電サービス提供方法を提供することができる。
【発明を実施するための最良の形態】
【００１０】
次に、本発明の実施の形態を、図面を参照して詳細に説明する。
【００１１】
図１は、本発明の第１の実施の形態に係る充電サービスシステムのサービス対象である携帯電話端末１００、並びに当該システムを構成する充電器２００及びサーバ３００を示している。充電器２００は、例えば駅、コンビニエンスストア、ガソリンスタンド、コーヒーショップ、ハンバーガーショップなど、人が集まり且つ所定時間滞在する店舗その他の各種施設に設置される。充電器２００は、充電専用機として構成されてもよいし、また、チケット発行端末などの他の装置と組み合わされていてもよい。
【００１２】
この充電サービスシステムにおいて、携帯端末１００のユーザは、会員登録を行うことにより、会員であることを証明するチケットを含む２次元コードをサーバ３００より取得する。この２次元コードを充電器２００に提示し、チケットが有効なものと確認されると、ユーザは携帯電話端末１００への充電サービスを受けることができる。
【００１３】
携帯電話端末１００のユーザは、サーバ３００との間で会員登録のためのデータの送受信を行い、会員登録が完了すると、サーバ３００から携帯電話端末１００へ、前述の２次元コードの提供を受けることができる。携帯電話端末１００は、ディスプレイ（表示部）１０１と、充電端子１０２とを含んでいる。ディスプレイ１０１には、図１に示すように、サーバ３００から提供された２次元コードＱＣｄが表示される。
【００１４】
充電器２００は、ディスプレイ１０１等に表示された２次元コードを読み取るための読み取り窓２０１、ディスプレイ（表示部）２０２、及び充電のための電源コネクタ２０３を備えている。この電源コネクタ２０３は、携帯電話端末１００の充電端子１０２に接続可能に構成され、また、様々な機種や仕様に対応して、異なる形状の複数の電源コネクタ２０３が設けられている。
【００１５】
図２に、この充電器２００の内部構造をブロック図により示す。この充電器２００は、全体の制御を実行する制御部２１１と、読み取り窓２０１に対向して設置された２次元コード読み取り部２１２と、電源コネクタ２０３を介して携帯電話端末１００に電力を供給する電力供給回路２１４と、電源コネクタ２０３と携帯電話端末１００の接続状態を検知する接続検出回路２１５と、携帯電話端末１００のバッテリの充電の完了を検出する充電完了検出回路２１６と、現在の時間を計時するクロック部２１７と、２次元コードに含まれるチケットに関するデータを保持するチケットデータ保持部２１８とを備えている。制御部２１１は、２次元コードの提示状況等に基づき、電力供給回路２１４からの電力供給を制御する。また、２次元コード読み取り部２１２には、例えばＣＣＤカメラが用いられ得る。
【００１６】
なお、充電器２００は、サーバ３００とネットワーク接続されるものであってもよいが、チケットに関するチケットデータを有していれば動作は可能であるので、ネットワーク接続されずスタンドアロンで構成されるのが、コスト削減の観点から好適である。
【００１７】
次に、この実施の形態の動作を、図３を参照して説明する。携帯電話端末１００において充電サービス用のアプリケーションソフトウエアが起動され（Ｓ１）、サーバ３００に対するログイン動作が完了した後（Ｓ２）、充電器２００の使用を希望するユーザは、携帯電話端末１００からサーバ３００に対し、携帯端末ＩＤを送付する（Ｓ３）。サーバ３００は、自身が有する携帯端末ＩＤのデータベース３０１を検索し、会員登録済みの会員であることを確認し（Ｓ４）、携帯電話端末１００に対し、２次元コードＱＣｄの画像を送信する（Ｓ５）。この２次元コードＱＣｄには、充電器２００による充電を有効期限内の間許可する「チケット」と、有効期限を示す「時刻」とが、ＭＡＣ鍵により暗号化されて挿入されている。携帯電話端末１００は、この受信された２次元コード画像を、上述のアプリケーションソフトウエア内、又はデータフォルダ等に保存する。
【００１８】
その後、ユーザが外出中や出張中などにおいて充電器２００による携帯電話端末１００の充電を実行したくなった場合には、充電器２００が設置された店舗に行き、充電器２００の電源コネクタ２０３を自身の携帯電話端末１００に接続して、充電器２００の充電メニューを立ち上げる。その後、充電器２００は、ディスプレイ２０２から、「２次元コードを読み取り窓にかざして下さい」などの表示を行うことにより、ユーザに２次元コードの提示を促す。このとき、複数種類の電源コネクタ２０３のうち、誤った形式のものが接続されている場合には、その旨ユーザに知らせることもできる。
【００１９】
ユーザは、携帯電話端末１００のディスプレイ１０１に２次元コードＱＣｄを表示させ、これを読み取り窓２０１に近づけ、２次元コード読み取り部２１２に２次元コードＱＣｄを読み取らせる（Ｓ６）。２次元コード読み取り部２１２は、この２次元コードＱＣｄ中に含まれるチケット、及び時刻情報をＭＡＣ鍵で復号化し解読する（Ｓ７）。
【００２０】
チケットの有効性、及び時刻の有効性（有効期限内である）ことが確認されると、制御部２１１は電力供給回路２１４を制御して、充電を開始させる（Ｓ８）。
【００２１】
その後、一定の充電時間が経過するか、又はコネクタ２０３が離脱されたことが接続検出回路２１５により検知されるか、或いは充電の完了が充電完了検出回路２１６で検知されると、充電を終了する（Ｓ９）。なお、携帯電話端末１００が、完全に放電してしまい電源をオンにできない場合には、２次元コードＱＣｄの表示のために最低限必要な最小電流での充電（１分間程度）を無料で行わせ、その後２次元コードＱＣｄの表示が可能になったら、上記Ｓ６以降のステップを実施させるようにしてもよい。
【００２２】
ところで、本実施の形態で提示される２次元コードＱＣｄは、静止画のものでもよいが、静止画の場合、会員でない第三者が、会員の２次元コードを例えばカメラで撮影するなどして不正利用することが考えられる。これを防止するため、本実施の形態では、図４に示すように、２次元コードＱＣｄを、複数個の異なる種類の２次元コード（図４では、ＱＣｄ１、ＱＣｄ２、ＱＣｄ３の３つである）が所定の時間間隔（例えば０．１秒間隔）で切り替わるようにするようにし、この複数の２次元コードＱＣｄ１、ＱＣｄ２、ＱＣｄ３を１組の２次元コードＱＣｄとして提示する。すなわち、ステップＳ１１では２次元コードＱＣｄ１を提示し、０．１秒後のステップＳ１２では異なる２次元コードＱＣｄ２を、さらに０．１秒後のステップＳ１３では更に別の異なる２次元コードＱＣｄ３を提示し、ステップＳ１１に戻る。これにより、１組の２次元コードＱＣｄの提示が完了する。以下、このような２次元コードＱＣｄを、静止画２次元コードに対する概念として、「動画２次元コード」と称する。なお、異なる２次元コードＱＣｄ１、ＱＣｄ２、ＱＣｄ３各々の背景画像ＢＧ１、ＢＧ２、ＢＧ３を異なる色等を採用して識別容易にすることにより、２次元コードの切り替わりを一層容易に認識することが可能になる。
【００２３】
このような動画２次元コードを使用することにより、静止画カメラでの不正利用は不可能となり、また、動画撮影では通常、２次元コードが解読可能な程度の解像度での撮影が不可能であるので、上記のような不正利用を防止することができる。
【００２４】
また、図５に示すように、各２次元コードＱＣｄｉの間において、２次元コードＱＣｄｉの切り替わりを示すインターバル画像ＴＰｉを挿入し、２次元コードＱＣｄｉの切り替わりの認識をし易くすることも可能である。すなわち、ステップＳ１１では２次元コードＱＣｄ１を提示し、続くステップＳ１２ではインターバル画像ＴＰ１を提示し、続くステップ１３では異なる２次元コードＱＣｄ２を提示し、続くステップ１４ではインターバル画像ＴＰ２を提示し、続くステップＳ１５では更に別の異なる２次元コードＱＣｄ３を提示し、続くステップＳ１６ではインターバル画像ＴＰ３を提示する。その後、ステップＳ１１に戻る。これにより、１組の２次元コードＱＣｄとする。この例でも、２次元コードＱＤｄｉの表示間隔は図４と同様に設定することができる。
【００２５】
なお、ＭＡＣ鍵の情報が何らかの理由で流出した場合、チケット情報が偽造され、本システムが偽造チケットにより不正利用されることが予想される。これを防止するため、ＭＡＣ鍵は定期的に更新するのが好適である。しかし、充電器３００をサーバ３００とネットワーク接続されないスタンドアロン形式とした場合には、更新したＭＡＣ鍵をサーバ３００から充電器２００に直接送り込むことができない。この場合には、例えば図３のＳ５において、２次元コードに含められる情報に、次回（例えば１月後）に更新予定のＭＡＣ鍵ＭＡＣｎｘを、Ｅｎｃ（ＭＡＣ：チケット、時刻、ＭＡＣｎｘ）のような形で挿入し、携帯電話端末１００を介して間接的にＭＡＣ鍵ＭＡＣｎｘを受領することができる。充電器２００は、このＭＡＣ鍵ＭＡＣｎｘを保存することにより、更新時にはこのＭＡＣ鍵ＭＡＣｎｘを用いてチケット情報等を復号化する。
【００２６】
［第２の実施の形態］  次に、本発明の第２の実施の形態を、図６を参照して詳細に説明する。システムのハードウエア構成等は、第１の実施の形態と略同様であるので、以下ではその詳細な説明は省略する。
【００２７】
このシステムは、携帯電話端末１００に対し、電源を供給されて駆動するディスプレイで表示可能な２次元コードＱＣｄだけでなく、有形物（紙、シール、プレートなど）に印刷・刻印等により表示された静止画２次元コードＱＣｓも提示させるようにした点で、上記の実施の形態と異なっている。図６には、郵送で届いた静止画２次元コードＱＣｓを表示したシールを携帯電話端末１００の裏面等に貼り付けた例を示している。郵送などオフラインで届けられたものでなくとも、例えばオンラインで送られた静止画２次元コードＱＣｓを、ユーザがプリントアウトして用いるのでもよい。この場合、静止画２次元コードＱＣｓは、携帯電話端末１００が完全に放電してしまって電源をオンにできない場合に用いられる。
【００２８】
次に、この実施の形態における充電動作の手順を、図７乃至図９を参照して説明する。充電器２００において、電源コネクタ２０３と携帯電話端末１００との接続が検知され（Ｓ２１）、２次元コードが携帯電話端末１００より提示され、２次元コード読み取り部２１２により読み取られる（Ｓ２２）。そして、読み取られた２次元コードが静止画２次元コードＱＣｓであるのか、或いは動画２次元コードＱＣｄであるのかの判別が行われる（Ｓ２３）。動画２次元コードＱＣｄであると判定された場合には、図８に示される「通常充電ルーチン」に移行する（Ｓ２５）。静止画２次元コードＱＣｓであると判定された場合には、図９に示される「完全放電時充電ルーチン」に移行する（Ｓ２６）。
【００２９】
「通常充電ルーチン」では、図８に示すように、動画２次元コードＱＣｄを読み込んだ後（Ｓ３１）、この動画２次元コードＱＣｄに含まれるチケットのデータから、チケットの有効性を判断し（Ｓ３２）、無効であればその旨を表示し（Ｓ３３）、有効であればＳ３４に移行する。Ｓ３４では、接続された電源コネクタ２０３が、会員登録に係る機種と矛盾している（異なっている）か否かが判定され、矛盾していればその旨を表示し（ｓ３５）、矛盾がなければＳ３６に移行して、充電を開始する。なお、２次元コードに含まれる時刻データにより、有効期限の判定を行ってもよい。
【００３０】
充電開始後、最大の充電時間が経過したり（Ｓ３７）、又は携帯電話端末１００が充電器２００から取り出され（電源コネクタ２０３が外され）たり（Ｓ３８）、充電容量が満杯になったりした場合（Ｓ３９）には、充電を自動停止する（Ｓ４０）。以上の通常充電ルーチンの手順は、第１の実施の形態と略同様である。
【００３１】
次に、完全放電時充電ルーチンの手順を図９を参照して説明する。この手順では、無料で充電が短時間ではあるが行えることから、ユーザでない第三者が、静止画２次元コードＱＣｓを取得し不正な充電を繰り返す可能性がある。これを防止するため、Ｓ４２において、同一の携帯端末ＩＤによる完全放電時の充電回数をチェックし、もし、所定期間内に基準回数以上の充電を行っていると判定された場合にはその旨をディスプレイ２０２に表示し、充電を拒絶する（Ｓ４３）。
Ｓ４４〜Ｓ４７は、Ｓ３２〜Ｓ３５と同様であり、チケットが有効であり、電源コネクタ２０３も適正である場合に、最小電流での充電を、所定時間だけ開始する（Ｓ４８）。Ｓ４９〜Ｓ５０は図８のＳ３７〜Ｓ３８と同様であり、完全放電時の充電回数を示すＩＤカウンタをカウントアップした後（Ｓ５２）、充電を停止する（Ｓ５３）。Ｓ５２でカウントアップされたＩＤカウンタは、次回のＳ４２での充電回数の判定に用いられる。こうして、動画２次元コードＱＣｄの表示が可能な程度に最小限の充電が完了したら、２次元コードＱＣｄをディスプレイに表示させて充電器２００に提示し、通常充電ルーチン（図８）を実行し、完全な充電を完了することができる。
【００３２】
［第３の実施の形態］  次に、本発明の第３の実施の形態の充電サービスシステムを、図１０を参照して説明する。サーバ３００と携帯電話端末１００との関係は上記の実施の形態と同様であるので、ここでは詳細な説明は省略する。この実施の形態では、携帯電話端末１００に充電器２００から直接充電するのではなく、ユーザが保有する外付け充電電池４００に充電器２００から充電させ、携帯電話端末１００はこの外付け充電電池４００を介して充電サービスを受ける。この点で、上記の実施の形態と異なっている。
【００３３】
この実施の形態では、外付けの充電電池４００に、静止画２次元コードＱＣｓを、シール等により貼り付ける。また、対応する携帯電話端末１００には、これと同一の（又は対応関係を有する）静止画２次元コードＱＣｓに加え、動画２次元コードＱＣｄがサーバ３００から送信され、これらが例えば並列に又は選択的にディスプレイ１０１に表示される。なお、動画２次元コードＱＣｄの中に静止画２次元コードＱＣｓを含ませて表示することも可能である。携帯電話端末１００のユーザは、会員登録によりこの２種類の２次元コードＱＣｄ、ＱＣｓを取得して携帯電話端末１００に保存するとともに、郵送等により取得された静止画２次元コードＱＣｓのシールを外付け充電電池４００に貼り付ける。これにより、ユーザが保有する携帯電話端末１００と外付け充電電池４００の対応関係が付けられる。なお、静止画２次元コードＱＣｓの携帯電話端末１００への取り込みは、充電電池４００に貼り付けられた静止画２次元コードＱＣｓのシールを携帯電話端末１００のカメラ（図示せず）で撮影することで行ってもよい。
【００３４】
また、携帯電話端末１００と外付け充電電池との対応関係の取り方は、上記のものに限らず、例えば以下のようなものものであってもよい。
（ア）外付け充電電池４００には、購入時から静止画２次元コードＱＣｓが貼り付けられている。
（イ）会員登録時等において、この静止画２次元コードＱＣｓを携帯電話端末１００にカメラ等で取り込んで、これを携帯端末ＩＤ等と共にサーバ３００に送る。
（ウ）サーバ３００は、動画２次元コードＱＣｄを静止画２次元コードＱＣｓと共に携帯電話端末１００に送信する。
（エ）携帯電話端末１００は、送信された動画２次元コードＱＣｄ及び静止画２次元コードＱＣｓをセキュアなメモリ領域に保存し、必要に応じて充電器２００に提示する。
【００３５】
次に、本実施の形態における充電動作を、図１１を参照して説明する。まず、ユーザは、携帯電話端末１００のディスプレイ１０１を読み取り窓２０１にかざし、ディスプレイ１０１に表示された動画２次元コードＱＣｄ及び静止画２次元コードＱＣｓを、この読み取り窓２０１に対向して配置された２次元コード読み取り部２１２に読み取らせる。充電器２００は、２次元コードＱＣｄ、ＱＣｓに基づき、チケットの有効性や有効期限等を判定すると共に、静止画２次元コードＱＣｓを、正規のユーザが有するものとして、図示しない記憶部に記憶する。
【００３６】
続いて、外付け充電電池４００を、読み取り窓２０１の裏側に読み取り窓と近接して設置されたスロット２２０に挿入し、ここに貼り付けられた静止画２次元コードＱＣｓを２次元コード読み取り部２１２に読み取らせる。記憶部の記憶情報により、正規のユーザと判定されると、充電が開始される。以上の動作により、外付け充電器４００が有する静止画２次元コードＱＣｓが正規のユーザのものとして充電器２００に記憶されると、次回以降、所定期間内は外付け充電器４００のみで充電が可能になる。なお、２次元コード読み取り部２０２にはＣＣＤカメラを用いることができ、図１１の例の場合、読み取り窓２０１の外側の面の位置とスロット２２０の位置との差を吸収可能な程度の焦点深度Ｄｆを与えられている。
【００３７】
以上、発明の実施の形態を説明したが、本発明はこれらに限定されるものではなく、発明の趣旨を逸脱しない範囲内において、種々の変更、追加等が可能である。例えば、上記実施の形態では、２次元コードを携帯電話端末１００のディスプレイ等に表示させて充電器２００に読み取らせていたが、これに限らず、例えば２次元コードの画像データを、赤外線通信等により充電器２００に送信・提示し、このデータを読み取らせるようにすることも可能である。
【００３８】
また、上記の実施の形態では、携帯機器の例として携帯電話端末を挙げたが、本発明はこれに限らず、バッテリで駆動され通信機能を有する他のポータブル機器（ノートブック型パソコン、音楽再生用端末、ゲーム機など）、或いはバッテリで駆動され別の通信端末と結合可能に構成された他のポータブル機器に対しても適用可能である。
【図面の簡単な説明】
【００３９】
【図１】本発明の第１の実施の形態に係る充電サービスシステムを、サービス対象である携帯電話端末１００と共に示している。
【図２】図１の充電器２００の内部構造を示すブロック図である。
【図３】第１の実施の形態に係る充電サービスシステムの動作を示す。
【図４】動画２次元コードＱＣｄの例を示す。
【図５】動画２次元コードＱＣｄの別の例を示す。
【図６】本発明の第２実施の形態に係る充電サービスシステムを説明する概念図である。
【図７】第２の実施の形態に係る充電サービスシステムの動作を示すフローチャートである。
【図８】第２の実施の形態に係る充電サービスシステムの動作を示すフローチャートである。
【図９】第２の実施の形態に係る充電サービスシステムの動作を示すフローチャートである。
【図１０】本発明の第３の実施の形態に係る充電サービスシステムを説明する概念図である。
【図１１】本発明の第３の実施の形態に係る充電サービスシステムの充電器２００の構成及び動作を説明する概念図である。
【符号の説明】
【００４０】
１００・・・携帯電話端末、  ２００・・・充電器、  ３００・・・サーバ、  ４００・・・外付け充電電池、  １０１・・・ディスプレイ、  １０２・・・充電端子、  ２０１・・・読み取り窓、  ２０２・・・ディスプレイ、  ２０３・・・電源コネクタ、  ２１１・・・制御部、  ２１２・・・２次元コード読み取り部、  ２１４・・・電力供給回路、  ２１５・・・接続検出回路、  ２１６・・・充電完了検出回路、  ２１７・・・クロック部、  ２１８・・・チケットデータ保持部。
【図１】
0004444232.tif 000002
【図２】
0004444232.tif 000003
【図３】
0004444232.tif 000004
【図４】
0004444232.tif 000005
【図５】
0004444232.tif 000006
【図６】
0004444232.tif 000007
【図７】
0004444232.tif 000008
【図８】
0004444232.tif 000009
【図９】
0004444232.tif 000010
【図１０】
0004444232.tif 000011
【図１１】
0004444232.tif 000012